(57)【要約】【課題】  医用画像を管理する技術に関し、特に医用画像を記憶する複数の医用画像記憶装置へのアクセスを分散させる技術を提供する。【解決手段】  医用診断装置から受信した複数の医用画像を管理する医用画像管理システムに、前記複数の医用画像を記憶可能な複数の記憶手段と、前記医用画像に付帯する付帯情報に基づき、前記複数の医用画像をグループ単位にグループ分けするグループ設定手段と、前記複数の医用画像をグループ単位で同一の記憶手段に書き込む書込手段と、を備えるようにした。  また、医用画像を管理する医用画像管理システムに、医用画像を記憶する複数の記憶手段と、医用画像に付帯する付帯情報に基づき、複数の医用画像をグループ単位にグループ分けするグループ設定手段と、医用画像の再分配元となる記憶手段と再分配先となる記憶手段を選択し、再分配元の記憶手段が記憶する医用画像をグループ単位で再分配先となる記憶手段に移動させる制御を前記記憶手段に対して行う制御手段と、を備えるようにした。【選択図】      図３
2006263065.tif 000002
【特許請求の範囲】
【請求項１】
医用診断装置から受信した複数の医用画像を管理する医用画像管理システムであって、
前記複数の医用画像を記憶可能な複数の記憶手段と、
前記医用画像に付帯する付帯情報に基づき、前記複数の医用画像をグループ単位にグループ分けするグループ設定手段と、
グループ分けされた複数の医用画像をグループ単位で同一の記憶手段に書き込む書込手段と、
を備えること、
を特徴とする医用画像管理システム。
【請求項２】
前記複数の記憶手段の空き領域の割合を取得する記憶先情報取得手段と、
各空き領域の割合の比率を、各記憶手段に医用画像を分配する分配比率として算出する分配比率算出手段と、
を更に備え、
前記書込手段は、前記分配比率に従って各記憶手段にグループ分けされた医用画像をグループ単位で分配して書き込むこと、
を特徴とする請求項１記載の医用画像管理システム。
【請求項３】
前記記憶先情報取得手段は、前記記憶手段の異常状態情報をさらに取得し、
前記分配比率算出手段は、異常状態情報を取得した記憶手段に対する分配比率を０にすること、
を特徴とする請求項２記載の医用画像管理システム。
【請求項４】
前記複数の記憶手段に対応して医用画像を読み出す複数の読出手段を更に備え、
前記分配比率算出手段は、前記複数の読出手段の性能に基づき各空き領域の割合の比に相当する比率に重み付けを行い、分配比率として算出すること、
を特徴とする請求項２記載の医用画像管理システム。
【請求項５】
グループ単位は、前記付帯情報として患者ＩＤ及び検査ＩＤが同一である医用画像を同一グループとした検査単位であること、
を特徴とする請求項１乃至４の何れかに記載の医用画像管理システム。
【請求項６】
医用画像を管理する医用画像管理システムであって、
医用画像を記憶する複数の記憶手段と、
医用画像に付帯する付帯情報に基づき、複数の医用画像をグループ単位にグループ分けするグループ設定手段と、
医用画像の再分配元となる記憶手段と再分配先となる記憶手段を選択し、再分配元の記憶手段が記憶するグループ分けされた医用画像をグループ単位で再分配先となる記憶手段に移動させる制御を前記記憶手段に対して行う制御手段と、
を備えること、
を特徴とする医用画像管理システム。
【請求項７】
前記複数の記憶手段の記憶領域の容量と使用領域の容量とを取得する記憶先情報取得手段と、
前記記憶領域の容量と前記使用領域の容量とに基づき、前記複数の記憶手段の空き領域の割合を均一化する再分配量を算出する分配量算出手段と、
を更に備え、
前記制御手段は、前記分配量に基づいて、医用画像の再分配元となる記憶手段と再分配先となる記憶手段を選択し、再分配元の記憶手段が記憶するグループ分けされた医用画像をグループ単位で再分配先となる記憶手段に移動させる制御を前記記憶手段に対して行うこと、
を特徴とする請求項６記載の医用画像管理システム。
【請求項８】
前記制御手段は、再分配先となる記憶手段の選択の際、再分配元となる記憶手段に記憶された医用画像の検査日情報をグループ毎に取得し、同一検査日情報が取得された複数グループの再分配先として、それぞれ異なる記憶手段を選択すること、
を特徴とする請求項６記載の医用画像管理システム。
【発明の詳細な説明】
【技術分野】
【０００１】
本発明は、医用画像を管理する技術に関し、特に医用画像を記憶する複数の装置へのアクセスを分散させる技術に関する。
【背景技術】
【０００２】
近年、近年病院内のシステム化が進み、院内で様々なシステムが稼働する様になってきた。例えば、医用画像を格納する医用画像保存装置（ＰＡＣＳ）や放射線情報システム（ＲＩＳ）がネットワークに接続され、ネットワーク上のコンピュータ端末を用いて、これら医用画像保存装置や放射線情報システムと通信を行い、医用画像、検査状況情報、検査オーダー情報を送受信している。
【０００３】
このネットワークには、例えば通信機能及びコンピュータ機能を備えた超音波診断装置やＸ線装置等のモダリティも参加し、通信機能及びコンピュータ機能を用いて、取得した医用画像や、医療装置の検査状況情報、医療装置に対する検査オーダー情報を直接医用画像保存装置や放射線情報システムと通信できるようになっている。
【０００４】
画像管理システムは、医用画像を作成するモダリティから受信した医用画像を管理するシステムであり、作成された医用画像をネットワークを介してクライアント端末上で表示できるように医用画像を保管する。
【０００５】
近年、医用画像のフィルムレス化が進み、画像管理システムが管理しなくてはならない医用画像が急増している。医用画像の急増に合わせてクライアント端末から医用画像を取得するためのアクセスも急増し、画像管理システムの負荷が増大している。
【０００６】
そこで、画像管理システムの負荷を分散させるために、医用画像を保管する医用画像記憶装置を仮想化する技術が提供された（例えば、特許文献１参照。）。この技術は、複数の医用画像記憶装置の応答を結合することで仮想化し、システムのスケーラビリティを確保し、装置を増設する等して負荷に耐えられるシステムを構築可能とするものである。
【０００７】
また、画像管理システムの負荷を分散させるために、効率よく記憶領域を使用する技術が提供された（例えば、特許文献２参照。）。この技術は、性能データを記憶できる記憶領域の空き容量に応じて、性能データを記憶する記憶領域を増減させたり、既存性能データを削除させたりして空き容量を確保するものである。
【０００８】
【特許文献１】特開２００４−５４７２１号公報
【特許文献２】特開２００４−２３４５５７号公報
【発明の開示】
【発明が解決しようとする課題】
【０００９】
ところで、画像管理システムにおいては、複数の医用画像記憶装置を配置するが、医用画像の保管先に偏りができてしまう場合がある。特に新たに医用画像記憶装置を増設した場合には、偏りが顕著である。医用画像の記憶先が偏っている状態では、クライアント端末からの医用画像記憶装置へのアクセスも偏りが生じる。このような画像管理システムでは、偏って記憶されている医用画像の記憶先に負荷が集中することになり、負荷分散されず、画像管理システムの処理効率が低下する。
【００１０】
また、医用画像は、モダリティの一度の検査により複数枚作成され、読影の際には、その複数枚の医用画像を同時に参照する場合が多い。従来の医用画像管理システムにおいては、複数の医用画像記憶装置に対し、医用画像単位で記憶させており、モダリティの一度の検査により撮影された複数枚の医用画像は、複数の医用画像記憶装置にばらばらに記憶される場合がある。クライアント端末により、読影のためにモダリティによる検査で作成された複数枚の医用画像を取得する場合、複数の医用画像記憶装置にアクセスしなくてはならず、複数のクライアント端末が同時に医用画像記憶装置に複数枚の医用画像取得のためにアクセスした場合、同時に複数のクライアント端末が個々の医用画像記憶装置にアクセスすることになり、負荷分散されず、画像管理システムの処理効率が低下する。
【００１１】
特許文献１では、医用画像記憶装置の増設は可能であるが、医用画像記憶装置に医用画像が偏る状態を解消することはできない。また、読影に必要な関連する複数枚の医用画像を取得するために複数の医用画像記憶装置にアクセスしなくてはならない状態を回避することはできない。
【００１２】
特許文献２では、個々の医用画像記憶装置における記憶効率の向上は図れるが、医用画像記憶装置相互の関係に基づいた記憶領域の効率性を解決できるものではなく、医用画像の偏りや、読影に必要な関連する複数枚の医用画像を取得するために複数の医用画像記憶装置にアクセスしなくてはならない状態を回避することはできない。
【００１３】
本発明は、上記事情に鑑みてなされたものであり、その目的とするところは、医用画像を管理する技術に関し、特に医用画像を記憶する複数の医用画像記憶装置へのアクセスを分散させる技術を提供することにある。
【課題を解決するための手段】
【００１４】
上記課題を解決するために、請求項１記載の発明は、医用診断装置から受信した複数の医用画像を管理する医用画像管理システムであって、前記複数の医用画像を記憶可能な複数の記憶手段と、前記医用画像に付帯する付帯情報に基づき、前記複数の医用画像をグループ単位にグループ分けするグループ設定手段と、グループ分けされた複数の医用画像をグループ単位で同一の記憶手段に書き込む書込手段と、を備えること、を特徴とする。
【００１５】
前記複数の記憶手段の空き領域の割合を取得する記憶先情報取得手段と、各空き領域の割合の比に相当する比率を、各記憶手段に医用画像を分配する分配比率として算出する分配比率算出手段と、を更に備え、前記書込手段は、前記分配比率に従って各記憶手段にグループ分けされた医用画像をグループ単位で分配して書き込むようにしてもよい（請求項２記載の発明に相当）。
【００１６】
前記記憶先情報取得手段は、前記記憶手段の異常状態情報をさらに取得し、前記分配比率算出手段は、異常状態情報を取得した記憶手段に対する分配比率を０にするようにしてもよい（請求項３記載の発明に相当）。
【００１７】
前記複数の記憶手段に対応して医用画像を読み出す複数の読出手段を更に備え、前記分配比率算出手段は、前記複数の読出手段の性能に基づき各空き領域の割合の比に相当する比率に重み付けを行い、分配比率として算出するようにしてもよい（請求項４記載の発明に相当）。
【００１８】
グループ単位は、前記付帯情報として患者ＩＤ及び検査ＩＤが同一である医用画像を同一グループとした検査単位であるようにしてもよい（請求項５記載の発明に相当）。
【００１９】
上記課題を解決するために、請求項６記載の発明は、医用画像を管理する医用画像管理システムであって、医用画像を記憶する複数の記憶手段と、医用画像に付帯する付帯情報に基づき、複数の医用画像をグループ単位にグループ分けするグループ設定手段と、医用画像の再分配元となる記憶手段と再分配先となる記憶手段を選択し、再分配元の記憶手段が記憶するグループ分けされた医用画像をグループ単位で再分配先となる記憶手段に移動させる制御を前記記憶手段に対して行う制御手段と、を備えること、を特徴とする。
【００２０】
前記複数の記憶手段の記憶領域の容量と使用領域の容量とを取得する記憶先情報取得手段と、前記記憶領域の容量と前記使用領域の容量とに基づき、前記複数の記憶手段の空き領域の割合を均一化する再分配量を算出する分配量算出手段と、を更に備え、前記制御手段は、前記分配量に基づいて、医用画像の再分配元となる記憶手段と再分配先となる記憶手段を選択し、再分配元の記憶手段が記憶するグループ分けされた医用画像をグループ単位で再分配先となる記憶手段に移動させる制御を前記記憶手段に対して行うようにしてもよい（請求項７記載の発明に相当）。
【００２１】
前記制御手段は、再分配先となる記憶手段の選択の際、再分配元となる記憶手段に記憶された医用画像の検査日情報をグループ毎に取得し、同一検査日情報が取得された複数グループの再分配先として、それぞれ異なる記憶手段を選択するようにしてもよい（請求項８記載の発明に相当）。
【発明の効果】
【００２２】
本発明の医用診断装置から受信した複数の医用画像を管理する医用画像管理システムによっては、前記複数の医用画像を記憶可能な複数の記憶手段と、前記医用画像に付帯する付帯情報に基づき、前記複数の医用画像をグループ単位にグループ分けするグループ設定手段と、前記複数の医用画像をグループ単位で同一の記憶手段に書き込む書込手段と、を備えるようにした。
【００２３】
また、本発明の医用画像を管理する医用画像管理システムによっては、医用画像を記憶する複数の記憶手段と、医用画像に付帯する付帯情報に基づき、複数の医用画像をグループ単位にグループ分けするグループ設定手段と、医用画像の再分配元となる記憶手段と再分配先となる記憶手段を選択し、再分配元の記憶手段が記憶する医用画像をグループ単位で再分配先となる記憶手段に移動させる制御を前記記憶手段に対して行う制御手段と、を備えるようにした。
【００２４】
これにより、同一グループの医用画像を同一の記憶手段に記憶させることができ、異なるグループの医用画像を所望する複数のクライアント端末からのアクセスが各記憶手段に分散し、処理効率が向上する。
【００２５】
さらに、前記複数の記憶手段の空き領域の割合を取得する記憶先情報取得手段と、各空き領域の割合の比に相当する比率を、各記憶手段に医用画像を分配する分配比率として算出する分配比率算出手段と、を更に備え、前記書込手段は、前記分配比率に従って各記憶手段に医用画像をグループ単位で分配して書き込むことにより、各記憶手段にアクセスが分散し易くなり、処理効率が向上する。
【００２６】
前記複数の記憶手段の記憶領域の容量と使用領域の容量とを取得する記憶先情報取得手段と、前記記憶領域の容量と前記使用領域の容量とに基づき、前記複数の記憶手段の空き領域の割合を均一化する再分配量を算出する分配量算出手段と、を更に備え、前記制御手段は、前記分配量に基づいて、医用画像の再分配元となる記憶手段と再分配先となる記憶手段を選択し、再分配元の記憶手段が記憶する医用画像をグループ単位で再分配先となる記憶手段に移動させる制御を前記記憶手段に対して行うことにより、各記憶手段にアクセスが分散し易くなり、処理効率が向上する。
【発明を実施するための最良の形態】
【００２７】
以下、本発明に係る画像管理システム及び画像管理装置の好適な実施形態について、図面を参照しながら具体的に説明する。
【００２８】
図１に示すように、画像管理システムＳは、いわゆるＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）であり、ネットワークＮに画像管理装置１と複数の医用画像記憶装置３，３・・・を接続する。画像管理装置１及び医用画像記憶装置３は、通信機能を有するコンピュータである。
【００２９】
画像管理装置１は、医用画像を管理するためのプログラムが搭載されている。また、医用画像を管理するために、医用画像を特定する医用画像情報と医用画像の記憶位置を特定する記憶位置情報を対にして格納する画像データベース２を備える。
【００３０】
ネットワークＮに直接接続する医用画像記憶装置３は、ネットワークアタッチドストレージ（Ｎｅｔｗｏｒｋ  Ａｔｔａｃｈｅｄ  Ｓｔｏｒａｇｅ，ＮＡＳ）であり、医用画像を記憶するファイルサーバであり、医用画像を記憶する記憶手段と、例えば医用画像を読み出すＣＰＵで構成される読出手段を備える。また、ネットワークＮにストレージエリアネットワーク（Ｓｔｏｒａｇｅ  Ａｒｅａ  Ｎｅｔｗｏｒｋ，ＳＡＮ）ＳＡＮを介して接続する医用画像記憶装置３は、同じネットワークに配される図示しないサーバにより管理されてユーザ側の端末からは一つのＮＡＳとして機能し、同様に医用画像を記憶するファイルサーバとなる。
【００３１】
画像管理システムＳがＰＡＣＳとして機能する場合、画像管理システムＳには、ネットワークＮに接続されたクライアント端末４から医用画像情報を含む医用画像の取得要求の信号が送信される。画像管理装置１は、医用画像の取得要求の信号を受信すると、医用画像情報を検索キーとして画像データベース２から該当する医用画像情報と対になった記憶位置情報を抽出する。抽出した記憶先情報は、クライアント端末４に送信される。記憶位置情報が示す記憶先に相当する医用画像記憶装置３は、画像管理装置１が送信した記憶位置情報に従ってアクセスしてきたクライアント端末４に対し、要求する医用画像を送信する。
【００３２】
画像管理システムＳが管理する医用画像は、ネットワークＮに接続されたモダリティ５，５，・・・から受信する。モダリティ５は、被検体内を観察して、得られたデータから被検体内の画像である医用画像を作成する医用診断装置であり、通信機能を有するコンピュータを備える。例えば、超音波により被検体内を観察する超音波診断装置、Ｘ線により被検体内を観察するＸ線装置、磁場及び電磁波を発生させて被検体内の例えば水素原子核から発生する電波を受信するＭＲＩ装置である。
【００３３】
本実施形態の画像管理システムＳでは、モダリティ５が作成した医用画像を、所定のグループ単位で画像管理装置１から医用画像記憶装置３，３，・・・へ分配し、画像データベース２を更新する。又、医用画像記憶装置３，３，・・・に記憶されている医用画像を所定のグループ単位で他の医用画像記憶装置３，３，・・・へ再分配し、画像データベース２を更新する。
【００３４】
図２は、画像管理装置１のブロック図である。この画像管理装置１は、図２に示すように、処理部１Ａと主記憶部１Ｂと外部記憶部１Ｃと送受信部１Ｄを備える。処理部１Ａは、いわゆるＣＰＵであり、プログラムに従った演算を行い、各周辺部１Ｂ，１Ｃ，１Ｄを制御する。主記憶部１Ｂは、例えば半導体メモリ等のＲＡＭであり、処理部１Ａの作業領域として、プログラム、若しくは処理部１Ａの演算による演算結果、又はデータが展開される。送受信部１Ｄは、例えばＬＡＮやモデム等のネットワークアダプタであり、ネットワークＮに接続するデバイスにデータを送受信する。
【００３５】
外部記憶部１Ｃは、いわゆるＨＤＤであり、コンピュータを画像管理装置１として実現させるプログラム、及び画像データベース２が記憶されており、またモダリティ５から受信した医用画像を一時的に保管する。
【００３６】
図３は、画像管理装置１の機能ブロック図である。外部記憶部１Ｃに記憶されたプログラムに従って処理部１Ａが演算を行い、各周辺部１Ｂ，１Ｃ，１Ｄを制御することによって、画像管理装置１は、図３に示すように、画像保管部１１０と分配部１２０と再分配制御部１３０を備える。
【００３７】
画像保管部１１０は、モダリティ５から受信した医用画像を一時的に保管する。分配部１２０は、一時的に保管した医用画像を同一検査で撮影された医用画像毎にグループ分けし、医用画像記憶装置３，３，・・・にグループ単位で医用画像を分配する。再分配制御部１３０は、医用画像記憶装置３，３，・・・に記憶されている医用画像を他の医用画像記憶装置３，３，・・・にグループ単位で再分配する制御を行う。また、分配部１２０及び再分配制御部１３０は、分配又は再分配された医用画像の医用画像情報と新たな記憶先情報とを対にしたレコードを作成又は変更する制御を画像データベース２に対して行う。
【００３８】
分配部１２０は、モダリティ５から医用画像を受信するたびに処理を行う。再分配制御部１３０は、予め処理開始タイミングが設定されており、処理開始タイミングが到来すると処理を開始する。処理開始タイミングは、夜間等の日時により設定されている。また、新しい医用画像記憶装置３が増設されたことを処理開始タイミングとしてもよい。
【００３９】
分配部１２０について詳細に説明する。図４は、分配部１２０の機能をさらに詳細にした機能ブロック図である。図４に示すように、分配部１２０は、グループ設定部１２１と記憶先情報取得部１２２と分配比率算出部１２３と書込部１２４とデータベース更新部１２５を備える。
【００４０】
グループ設定部１２１は、画像保管部１１０に記憶されている医用画像をグループ分けし、分配の処理キューにグループ単位で積む。グループ分けは、読影の際に同時に参照される可能性の高い医用画像を同一グループにするのが好ましい。例えば、同一患者を同一検査において撮影した医用画像、すなわち同一検査で撮影された医用画像を同一グループに登録する。
【００４１】
医用画像は、モダリティ５で作成されるとＤＩＣＯＭ規格に沿った付帯情報が付帯する。付帯情報は、付帯する医用画像に関する情報である。付帯情報としては、ＤＩＣＯＭ規格に基づき、患者ＩＤ、検査ＩＤ、シリーズＩＤ、画像番号、スライス厚の情報、撮影部位の情報等がある。
【００４２】
グループ設定部１２１は、画像保管部１１０に記憶されている医用画像を、例えば、検査単位でグループ分けする。この場合、グループ設定部１２１は、付帯する患者ＩＤ及び検査ＩＤが同一の医用画像を同一のグループに登録する。その他、患者単位やシリーズ単位でグループに登録してもよい。
【００４３】
記憶先情報取得部１２２は、記憶先情報として、医用画像記憶装置３，３，３，・・・の空き領域の割合を取得する。
【００４４】
分配比率算出部１２３は、分配比率を取得する。分配比率は、各空き領域の割合から医用画像記憶装置３，３，３，・・・の空き領域の割合の比率を算出して取得する。さらに最小の空き領域の割合で各空き領域の割合を除し、各比率の値が整数となるように等倍して整理してもよい。
【００４５】
書込部１２４は、処理キューを参照して、分配処理するグループに登録された医用画像を全て画像保管部１１０から読み出し、グループ単位で同一の医用画像記憶装置３に書き込む。書き込み先は、分配比率に従い、医用画像記憶装置３，３，３，・・・の分配比率に比例した単位数を各医用画像記憶装置３，３，３，・・・に書き込む。書き込み順序は、同一の医用画像記憶装置３に複数の医用画像のグループを連続して書き込む連続書込回数が最も少なくなる順序が選択される。
【００４６】
尚、医用画像記憶装置３が書込中に故障等の異常状態となることがある。この場合、医用画像記憶装置３をライトスルー方式とし、書込完了信号が書込部１２４に到達しない場合、次の書き込み先である医用画像記憶装置３に書き込みきれなかったグループの医用画像全てを書き込みすればよい。異常状態の医用画像記憶装置３の分配比率は以後０とすることが望ましい。
【００４７】
データベース更新部１２５は、ＳＱＬ（Ｓｔｒｕｃｔｕｒｅｄ  Ｑｕｅｒｙ  Ｌａｎｇｕａｇｅ）等により、画像データベース２に対し、分配した医用画像の医用画像情報と記憶位置情報を対にしたレコードの作成を指示する。
【００４８】
この医用画像管理装置１の分配処理の動作を図５に示す。まず、モダリティ５，５，・・・から医用画像を受信すると、受信した医用画像を外部記憶部１Ｃに一時的に保管する（Ｓ１１）。医用画像を保管すると、保管した医用画像に付帯する所定の付帯情報を読み出す（Ｓ１２）。本実施形態では、検査単位で医用画像をグループ分けするため、所定の付帯情報として患者ＩＤと検査ＩＤを読み出す。保管した医用画像の付帯情報を順次読み出し、所定の付帯情報が同一である医用画像を同一のグループに登録し、グループ単位で処理キューに積む（Ｓ１３）。
【００４９】
処理キューに積まれたグループの分配時、まずネットワークＮを介し、記憶先情報として医用画像記憶装置３，３，・・・の空き領域の割合を取得する（Ｓ１４）。取得した各空き領域の割合から医用画像記憶装置３，３，・・・の空き領域の割合の比率を算出し、分配比率とする（Ｓ１５）。
【００５０】
処理キューに積まれたグループに登録されている医用画像の全てを外部記憶部１Ｃから取得し（Ｓ１６）、分配比率に従って分配順序を決定する（Ｓ１７）。分配順序に従って、書き込む医用画像記憶装置３，３，・・・を決定し、読み出した医用画像の全てを決定した同一の医用画像記憶装置３，３，・・・に書き込む（Ｓ１８）。
【００５１】
書き込んだ医用画像の医用画像情報と記憶位置情報とを対にしたレコードを画像データベースに作成する（Ｓ１９）。このＳ１２からＳ１８までの処理を、保管している医用画像全てを分配するまで繰り返し、一連の処理を終了する。
【００５２】
図６は、医用画像管理装置１による分配処理の具体例である。図６の（ａ）は、外部記憶部１Ｃに記憶された医用画像の具体例である。例えば、医用画像管理装置１には、医用画像Ａ乃至Ｊが一時的に保管されている。医用画像Ａ，Ｂの付帯情報は、患者ＩＤが「ＰａｔｉｅｎｔＡ」、検査ＩＤが「ＳｔｕｄｙＡ」である。医用画像Ｃ，Ｄの付帯情報は、患者ＩＤが「ＰａｔｉｅｎｔＡ」、検査ＩＤが「ＳｔｕｄｙＢ」である。医用画像Ｅ，Ｆの付帯情報は、患者ＩＤが「ＰａｔｉｅｎｔＢ」、検査ＩＤが「ＳｔｕｄｙＣ」である。医用画像Ｇ，Ｈの付帯情報は、患者ＩＤが「ＰａｔｉｅｎｔＣ」、検査ＩＤが「ＳｔｕｄｙＤ」である。医用画像Ｉ，Ｊの付帯情報は、患者ＩＤが「ＰａｔｉｅｎｔＤ」、検査ＩＤが「ＳｔｕｄｙＡ」である。
【００５３】
図６の（ｂ）は、グループ分けの具体例である。本実施形態の医用画像管理装置１では、医用画像を検査単位でグループ分けする場合、付帯情報を参照して、患者ＩＤと検査ＩＤが同一である医用画像を同一グループに登録する。図６の（ｂ）では、患者ＩＤが「ＰａｔｉｅｎｔＡ」、検査ＩＤが「ＳｔｕｄｙＡ」である医用画像Ａ，Ｂを一つのグループＫに登録し、患者ＩＤが「ＰａｔｉｅｎｔＡ」、検査ＩＤが「ＳｔｕｄｙＢ」である医用画像Ｃ，Ｄを一つのグループＬに登録し、患者ＩＤが「ＰａｔｉｅｎｔＢ」、検査ＩＤが「ＳｔｕｄｙＣ」である医用画像Ｅ，Ｆを一つのグループＭに登録し、患者ＩＤが「ＰａｔｉｅｎｔＣ」、検査ＩＤが「ＳｔｕｄｙＤ」である医用画像Ｇ，Ｈを一つのグループＰに登録し、患者ＩＤが「ＰａｔｉｅｎｔＤ」、検査ＩＤが「ＳｔｕｄｙＡ」である医用画像Ｉ，Ｊを一つのグループＱに登録し、計５種類のグループが作成され、それぞれグループ毎に処理キューに積まれる。
【００５４】
図６の（ｃ）は、医用画像記憶装置３の具体例であり、医用画像記憶装置３である各医用画像記憶装置３ａ，３ｂ，３ｃの記憶領域を示している。図６の（ｃ）では、医用画像記憶装置３ａ，３ｂ，３ｃは、それぞれ１ＧＢ（ギガバイト），１ＧＢ，２ＧＢの記憶領域を備え、それぞれ７５０ＭＢ（メガバイト）、７５０ＭＢ、５００ＭＢ使用されている。尚、説明の都合上記憶領域のサイズを上記のようにしたが、医用画像記憶装置３ａ、３ｂ、３ｃには、テラバイトサイズの記憶領域を設けてもよい。
【００５５】
医用画像管理装置１は、各医用画像記憶装置３ａ，３ｂ，３ｃにネットワークＮを介して、空き領域の割合を問い合わせ、空き領域の割合として、それぞれ２５％、２５％、７５％を取得する。空き領域の割合の比率である医用画像記憶装置３ａ：医用画像記憶装置３ｂ：医用画像記憶装置３ｃ＝２５：２５：７５から、分配比率として、医用画像記憶装置３ａ：医用画像記憶装置３ｂ：医用画像記憶装置３ｃ＝１：１：３を得る。
【００５６】
処理キューから処理するグループ名を取得し、外部記憶部１Ｃからグループに登録された医用画像全てを読み出し、同一の医用画像記憶装置に分配する。５種類のグループは、医用画像記憶装置３ａ、３ｂ、３ｃに対して、分配比率に従って、医用画像記憶装置３ａに１グループ、医用画像記憶装置３ｂに１グループ、医用画像記憶装置３ｃに３グループを分配される。分配順は、同一箇所に連続して書き込むグループの単位数が最も少ない順序を選択し、[1]医用画像記憶装置３ｃ→[2]医用画像記憶装置３ａ→[3]医用画像記憶装置３ｃ→[4]医用画像記憶装置３ｂ→[5]医用画像記憶装置３ｃとなる。
【００５７】
このように、本実施形態の医用画像管理システムＳ及び画像管理装置１によると、所定の付帯情報が同一の医用画像を同一グループに分け、グループ単位で同一の医用画像記憶装置３に分配する。クライアント端末４が所定のグループの医用画像を取得する場合、単一の医用画像記憶装置３にアクセスするのみでそのグループの全ての医用画像を取得できる。従って、複数のクライアント端末４からの画像管理システムＳへのアクセスは、別々の医用画像記憶装置３，３，・・・へのアクセスとなる場合が多くなり、画像管理システムＳの処理効率が向上する。
【００５８】
また、本実施形態の医用画像管理システムＳ及び画像管理装置１によると、医用画像記憶装置３，３，・・・の空き領域の割合の比率を分配比率として、当該分配比率に従って、グループ単位で医用画像を医用画像記憶装置３，３，・・・に分配する。所定時間間隔で分配比率を算出し、分配比率に従った分配を行うと、最終的に医用画像記憶装置３，３，・・・の空き領域の割合は均一化する。従って、医用画像記憶装置３，３，・・・に対するクライアント端末２からのアクセスの偏りが解消され、画像管理システムＳの処理効率が向上する。
【００５９】
医用画像のグループ分けは、モダリティ５から受信する通信に基づいてもよい。モダリティ５からは、医用画像の他、通信の終了を示す信号が送信される。この場合、送受信部１Ｄは、モダリティ５からのデータ通信を監視し、データ通信終了を示す信号を検出する。グループ設定部１２１は、送受信部１Ｄがデータ通信終了を検出すると、データ通信中に受信した医用画像を同一グループに登録する。また、グループ設定部１２１は、図示しない受信監視手段を備え、モダリティ５からの受信を監視し、受信が一定時間途絶えると、それまでに受信してきた医用画像を同一グループに登録するようにしてもよい。
【００６０】
取得する記憶先情報は、空き領域の割合の他、医用画像記憶装置３，３，・・・の読出手段たるＣＰＵの名称、医用画像記憶装置３，３，・・・の異常状態であってもよい。故障有りを取得した場合、分配比率算出部１２３は、異常有りの信号を送信した医用画像記憶装置３の分配比率を０とする。
【００６１】
また、記憶先情報として医用画像記憶装置３，３，・・・のネットワークＮへの参加日時を取得することもできる。参加日時の情報は、医用画像管理装置１に記憶させてもよいし、医用画像記憶装置３に記憶させてもよく、記憶先情報取得部１２２は、参加日時の情報が記憶されている記憶先から取得する。参加日時の情報が所定期間以前であれば、分配比率算出部１２３は、所定時期間以前にネットワークＮに参加した医用画像記憶装置３の分配比率を０とする。すなわち、一定の古さを有する医用画像記憶装置３への医用画像分配を行わないようにする。
【００６２】
また、医用画像記憶装置３，３，・・・のＣＰＵ名を取得する場合、分配比率算出部１２３は、図７に示すＣＰＵ名１１と重み付け係数１２とを対にした重み付けテーブル１２３ａを予め備える。重み付け係数１２は、ＣＰＵ名１１に応じたＣＰＵの性能に比例する値となるように設定しておく。
【００６３】
分配比率算出部１２３は、取得したＣＰＵ名１１に応じて各医用画像記憶装置３，３，・・・に対応する重み付け係数１２を重み付けテーブル１２３ａから取得し、医用画像記憶装置３，３，・・・の空き領域の割合の比率の各値を、最小の空き領域の割合で除し、各比率の値が整数となるように等倍した後に、取得した重み付け係数を乗じて、分配比率を得る。
【００６４】
ＣＰＵ名１１に応じた重み付け係数１２を乗じた分配比率を得た場合、画像管理装置１の分配処理によって最終的には、医用画像記憶装置３，３，・・・の空き領域の割合はＣＰＵの性能に反比例する割合となる。従って、画像記憶装置３，３，・・・は、ＣＰＵの性能に比例して医用画像を記憶し、その分アクセスがクライアント端末２から要求されるが、そのアクセス量はＣＰＵの性能に比例するため画像管理システムＳの処理効率がさらに向上する。
【００６５】
また、医用画像記憶装置３への一回の書き込みは、１グループとする他、書き込み量が制限値を超えるまで、複数の医用画像のグループを同一の医用画像記憶装置３に連続して書き込むようにしてもよい。図８は、書込部１２４の他の形態を示す図である。この書込部１２４は、１回に書き込む書込量の制限値を予め保持する制限値保持部１２４ａと、一回の書込量をカウントするカウント部１２４ｂと、制限値と書込量を比較する比較部１２４ｃを備える。
【００６６】
図９は、他の形態の書込部１２４による書込処理を説明するフローチャート図である。まず、画像管理装置１では、医用画像の書き込みを開始すると（Ｓ２０１）、書込量を順次カウントする（Ｓ２０２）。カウントした書込量と制限値と比較して書込量が制限値を上回ると（Ｓ２０３，Ｙｅｓ）、現在書き込んでいる医用画像のグループの書き込みが終了した（Ｓ２０４，Ｙｅｓ）後、一時保管されている医用画像がまだあれば（Ｓ２０５，Ｎｏ）、書き込み先の医用画像記憶装置３を分配比率に応じて変更し（Ｓ２０６）、次の医用画像のグループの書き込みを開始する（Ｓ２０７）。
【００６７】
書込量が制限値を下回ったまま（Ｓ２０３，Ｎｏ）、現在書き込んでいる医用画像のグループの書き込みが終了し（Ｓ２０８，Ｙｅｓ）、一時保管されている医用画像がまだある場合（Ｓ２０９，Ｎｏ）、書き込み先の医用画像記憶装置３を変更せず、次の医用画像のグループの書き込みを開始する（Ｓ２１０）。
【００６８】
このＳ２２からＳ３０の処理を一時保管されている医用画像を全て書き込むまで繰り返し、医用画像全てを書き込むと（Ｓ２０５，Ｎｏ又はＳ２０９，Ｎｏ）一連の処理を終了する。
【００６９】
次に医用画像管理装置１の再分配制御部１３０について図１０に基づき説明する。再分配制御部１３０は、外部記憶部１Ｃに記憶されたプログラムに従って処理部１Ａが演算を行い、各周辺部１Ｂ，１Ｃ，１Ｄを制御することによって、グループ設定部１３１と記憶先情報取得部１３２と分配量算出部１３３と再分配指示部１３４とデータベース更新部１３５を備える。
【００７０】
グループ設定部１３１は、画像データベース２を検索し、医用画像記憶装置３，３，・・・に記憶されている医用画像を所定の単位でグループ分けして関連づけを行う。検査単位でのグループ分けは、画像データベース２の各レコードに格納されている患者ＩＤと検査ＩＤを検索して同一の患者ＩＤ及び検査ＩＤを有するレコードに、同一グループ名を付与する。
【００７１】
記憶先情報取得部１３２は、記憶先情報として、医用画像記憶装置３，３，３，・・・の記憶領域の容量値と使用領域の容量値を取得する。
【００７２】
再分配量算出部１３３は、医用画像記憶装置３，３，３，・・・に再分配する医用画像の合計データ容量を再分配量として算出する。再分配量の算出には、まず記憶領域の容量値から、医用画像記憶装置３，３，３，・・・の記憶領域の容量比率を算出し、使用領域の割合が同一になるための記憶容量比率として取得する。さらに各使用領域の容量値を加算して使用領域の合計容量値を取得し、記憶容量比率に従って合計容量値を均等に分配し、各医用画像記憶装置３，３，・・・に記憶させる容量値を取得する。記憶させる容量値から使用領域の容量値を差分し、当該差分を再分配量として得る。再分配量が負数の場合は、再分配する量であり、再分配量が正数の場合は、再分配される量である。
【００７３】
再分配指示部１３４は、再分配後に医用画像記憶装置３，３，３，・・・の使用領域の容量が同一割合になるように、医用画像の再分配元、再分配先、及び再分配する医用画像のグループを指示する。また、同一検査日付の医用画像のグループが複数ある場合は、同一検査日付の医用画像のグループがそれぞれ異なる医用画像記憶装置３に記憶されるように分配先を指示する。
【００７４】
具体的には、再分配量が負数となった医用画像記憶装置３に記憶されている医用画像のデータ容量値を画像データベース２からグループ単位で抽出し、グループ単位のデータ容量値を得る。
【００７５】
さらに各グループが有するグループ単位のデータ容量値を順次加算し、加算のたびに、再分配量が正数となり再分配される医用画像記憶装置３の再分配量と比較する。また、加算のたびに、再分配する医用画像記憶装置３の再分配量の絶対値と比較する。
【００７６】
再分配量される医用画像記憶装置３の再分配量を加算値が超えた場合、それまで加算値に加算したグループ単位のデータ容量値を有するグループを、再分配される医用画像記憶装置３へ分配する分配対象として決定する。また、再分配する医用画像記憶装置３の再分配量の絶対値を加算値が超えた場合、それまで加算値に加算したグループ単位のデータ容量値を有するグループを、再分配される医用画像記憶装置３へ分配する分配対象として決定する。
【００７７】
尚、再分配指示部１３４は、グループ単位のデータ容量値を加算する前に、加算値に加算しようとするデータ容量値を有するグループの検査日時を画像データベース２から取得し、主記憶部１Ｂに同一検査日時がなければ、当該検査日時を主記憶部１Ｂに展開すると共に、データ容量値の加算を続行する。既に同一検査日時が主記憶部１Ｂに展開されていれば、そのグループを同一医用画像記憶装置３への分配先決定から除外する。
【００７８】
再分配の指示では、医用画像を移動させる医用画像記憶装置３に、他の医用画像記憶装置３，３，・・・へ医用画像を移動させる制御命令である画像移動命令と、決定した再分配先の記憶先情報と、移動させる医用画像を特定する情報、例えば記憶位置情報とを送信する。
【００７９】
再分配の指示を送信する際には、予め画像管理システムＳにクライアント端末４がアクセスしていないかチェックすることが望ましい。医用画像管理装置１では、クライアント端末４の画像管理システムＳへのログイン及びログオフの履歴を記録している。ログインの記録が存在するが、ログオフの記録が存在しない場合、クライアント端末４が画像管理システムＳにアクセスしているので、再分配の指示を所定時間保留し、ログオフの記録が検出された時点で、再分配の指示を送信してもよい。
【００８０】
データベース更新部１３５は、ＳＱＬ等により、再分配した医用画像の医用画像情報と記憶位置情報とを画像データベース２に送出し、レコードの変更を指示する。
【００８１】
この医用画像管理装置１の再分配処理の動作を図１１に示す。まず、ネットワークＮを介して医用画像記憶装置３，３，・・・の記憶領域の容量値と使用領域の容量値とを取得する（Ｓ３１）。取得した各記憶領域の容量値から、医用画像記憶装置３，３，・・・の記憶領域の容量値の比率を算出し、記憶容量比率を得る（Ｓ３２）。さらに取得した各使用領域の容量値を加算して使用領域の合計容量値を取得し、記憶容量比率に従って、合計容量を分配し、各医用画像記憶装置３，３，・・・に記憶させる容量値を取得し、記憶させる容量値から使用領域の容量値を差分して再分配量を得る（Ｓ３３）。
【００８２】
次に、画像データベースを参照して、患者ＩＤと検査ＩＤが同一である医用画像をグループ分けして、グループに関連づける（Ｓ３４）。
【００８３】
次に、再分配後に医用画像記憶装置３，３，３，・・・の使用領域の容量が同一割合になるように、また、同一検査日付の医用画像のグループが複数ある場合は、同一検査日付の医用画像のグループがそれぞれ異なる分配先に分配されるように、医用画像の再分配元、再分配先、及び再分配する医用画像のグループを決定する（Ｓ３５）。
【００８４】
再分配先が決定すると、移動させるグループに関連づけられた全医用画像の記憶先情報を画像データベースから読み出し（Ｓ３６）、医用画像記憶装置３，３，・・・に対して、画像移動命令と、決定した再分配先の記憶先情報とを送信する（Ｓ３７）。同時に、画像データベースから、移動させた医用画像を検索し、記憶先情報を書き換えて（Ｓ３８）、一連の処理を終了する。
【００８５】
画像移動命令を受け取った医用画像記憶装置３，３，・・・は、当該命令に従って、記憶先情報に対応する記憶位置に記憶されている医用画像を、再分配先を特定する情報に対応する医用画像記憶装置３に送信し、再分配を行う。尚、再分配の際には、再分配しようとする医用画像がクライアント端末４からアクセスされていないかをチェックすることが望ましい。医用画像記憶装置３，３，・・・では、再分配しようとする医用画像のアクセス情報を取得し、アクセス情報が現在時点から１０分以内等の所定時間以内にアクセスされたことを示す場合は、当該医用画像の再分配処理を所定時間保留し、再度アクセス情報を取得して所定時間以内にアクセスされていなければ再分配を行うようにしてもよい。
【００８６】
図１２及び１３は、医用画像管理装置１による再分配処理の具体例である。図１２は、再分配量を決定する処理を説明する図である。図１２に示すように、医用画像記憶装置３である医用画像記憶装置３ａ、３ｂ、３ｃは、それぞれ１ＧＢ、１ＧＢ、２ＧＢの記憶領域を備えている。再分配前においては、この記憶領域をそれぞれ４００ＭＢ、４００ＭＢ、１，２ＧＢ使用している。尚、説明の都合上記憶領域のサイズを上記のようにしたが、医用画像記憶装置３ａ、３ｂ、３ｃには、テラバイトサイズの記憶領域を設けてもよい。
【００８７】
画像管理装置１は、医用画像記憶装置３ａ、３ｂ、３ｃから、記憶領域の容量値と使用領域の容量値として、医用画像記憶装置３ａから記憶領域の容量「１ＧＢ」及び使用領域の容量「４００ＭＢ」、医用画像記憶装置３ｂから記憶領域の容量「１ＧＢ」及び使用領域の容量「４００ＭＢ」、医用画像記憶装置３ｃから記憶領域の容量「２ＧＢ」及び使用領域の容量「１．２ＧＢ」を取得する。
【００８８】
記憶領域の容量値を取得すると、取得した記憶領域の容量値の比率を算出することで、医用画像記憶装置３ａ：医用画像記憶装置３ｂ：医用画像記憶装置３ｃ＝１：１：２を取得する。また、使用領域の容量値を取得すると、取得した使用領域の容量値を合計することで、合計容量「２．０ＧＢ」を取得する。
【００８９】
取得した記憶領域の容量の比率に従って、合計容量を均等に分配し、医用画像記憶装置３ａに記憶させる容量値「５００ＭＢ」、医用画像記憶装置３ｂに記憶させる容量値「５００ＭＢ」、医用画像記憶装置３ｃに記憶させる容量値「１．０ＧＢ」を取得する。この各医用画像記憶装置３ａ、３ｂ、３ｃの記憶させる容量値は、各医用画像記憶装置３ａ、３ｂ、３ｃの使用領域の割合が同率になる量である。
【００９０】
記憶させる容量値から使用領域の容量値を差分し、医用画像記憶装置３ａに対応して再分配量「１００ＭＢ」、医用画像記憶装置３ｂに対応して再分配量「１００ＭＢ」、医用画像記憶装置３ｃに対応して再分配量「−２００ＭＢ」を取得する。各医用画像記憶装置３ａ，３ｂ，３ｃの使用領域の割合を均一化するために、負数である「−２００ＭＢ」に対応する医用画像記憶装置３ｃを分配元として「１００ＭＢ」に対応する医用画像記憶装置３ａを分配先として「１００ＭＢ」を分配し、「１００ＭＢ」に対応する医用画像記憶装置３ｂを分配先として「１００ＭＢ」を分配することが決定される。
【００９１】
図１３は、医用画像管理装置１が備える画像データベース２である。画像データベース２は、レコードごとに検査日１３、患者ＩＤ１４、検査ＩＤ１５、データ容量１６、及び記憶位置１７の情報を対にして格納している。画像管理装置１は、分配する医用画像を決定するために、分配元である医用画像記憶装置３ｃを示す記憶位置１７を有するレコードを画像データベース２から抽出する。図１３では、「アドレス３ｃ・・・」で始まる記憶位置１７が医用画像記憶装置３ｃを記憶先であり、レコードＮｏ．１乃至６、及び２００００と２０００１が抽出される。
【００９２】
さらに画像管理装置１は、抽出されたレコードの患者ＩＤ１４及び検査ＩＤ１５を参照して、同一の患者ＩＤ１４及び検査ＩＤ１５を有するレコードに同一のグループ名１８を付して同一グループに関連づける。図１３では、レコードＮｏ．１及び２、レコードＮｏ．３及び４、レコードＮｏ．５及び６、レコードＮｏ．２００００及び２０００１が同一の患者ＩＤ１４及び検査ＩＤ１５を有し、同一グループ名１８としてそれぞれ「１」、「２」、「３」、「４」が付される。
【００９３】
次に、医用画像記憶装置３ａ及び医用画像記憶装置３ｂに分配する医用画像を決定する。まず、同一グループの医用画像のデータ容量の値をデータ容量１６から抽出してグループ単位のデータ容量値に加算する。図１３では、グループ名「１」が５０ＧＢとなり、グループ名「２」が５２ＭＢとなり、グループ名「３」が５０ＭＢとなり、グループ名「１」が５０ＭＢとなる。
【００９４】
医用画像記憶装置３ａに分配する医用画像のグループを決定するために、医用画像記憶装置３ａに分配する「１００ＭＢ」を超えるまで、グループ単位のデータ容量値を順次加算していく。
【００９５】
尚、加算前に各グループの検査日１３を抽出し、グループ名「１」と「２」は、同一検査日時であるので、グループ名「２」を分配先から除外し、グループ名「３」のデータ容量値をグループ名「１」のデータ容量値に加算する。
【００９６】
図１３では、グループ名「１」のデータ容量値にグループ名「３」のデータ容量値を加算した時点で、「１００ＭＢ」に到達し、グループ名「１」とグループ名「３」を画像記憶装置３ａに分配することを決定する。同様に、図１３では、グループ名「２」のデータ容量値にグループ名「３」のデータ容量値を加算した時点で、「１００ＭＢ」に到達し、グループ名「２」とグループ名「４」を画像記憶装置３ｂに分配することを決定する。
【００９７】
画像管理装置１は、グループ名「１」と「３」に関連づけられている医用画像の記憶位置１７の値を読み出し、医用画像記憶装置３ｃに、画像移動命令と、分配先である医用画像記憶装置３ａの記憶位置情報と、読み出した記憶位置１７を送信し、医用画像の再分配を行わせる。また、画像管理装置１は、グループ名「２」と「４」に関連づけられている医用画像の記憶位置１７の値を読み出し、医用画像記憶装置３ｃに、画像移動命令と、分配先である医用画像記憶装置３ｂの記憶位置情報と、読み出した記憶位置１７を送信し、医用画像の再分配を行わせる。
【００９８】
画像管理装置１は、移動させたグループ名「１乃至４」に関連づけられた医用画像の記憶位置１７の値を再分配した記憶先情報に書き換える処理を画像データベース２に対して行い再分配処理を終了する。
【００９９】
尚、再分配においても同様に、記憶先情報として、故障状態やＣＰＵ名を取得することができ、空き領域の割合を故障状態やＣＰＵの性能に応じた割合にしてもよい。
【０１００】
また、この分配及び再分配において、医用画像管理装置３，３，・・・に空き領域が増加した場合であっても、医用画像の削除を行うようにしてもよい。
【０１０１】
このように、本実施形態の画像管理システム又は画像管理装置によると、医用画像を複数の医用画像記憶装置に平等に記憶させることができ、クライアント端末からのアクセスが各医用画像記憶装置に分散し、処理効率が向上する。
【図面の簡単な説明】
【０１０２】
【図１】本実施形態に係る画像管理システムの構成を示すブロック図である。
【図２】本実施形態に係る画像管理装置が備えるプログラムデータ格納手段を説明する図である。
【図３】本実施形態に係る画像管理装置の機能を示す機能ブロック図である。
【図４】本実施形態に係る画像管理装置の分配機能を示す機能ブロック図である。
【図５】本実施形態に係る画像管理装置の分配動作を示すフローチャート図である。
【図６】本実施形態に係る画像管理装置の分配処理の具体例を説明する図である。
【図７】本実施形態に係る画像管理装置が備える重み付けテーブルを説明する図である。
【図８】本実施形態に係る画像管理装置が備える書込部の他の形態を説明する機能ブロック図である。
【図９】本実施形態に係る画像管理装置が備える書込部の他の形態における動作を説明するフローチャート図である。
【図１０】本実施形態に係る画像管理装置の再分配機能を示す機能ブロック図である。
【図１１】本実施形態に係る画像管理装置の再分配動作を示すフローチャート図である。
【図１２】本実施形態に係る画像管理装置の再分配処理における再分配量取得の具体例を説明する図である。
【図１３】本実施形態に係る画像管理装置の再分配処理における画像データベースを説明する図である。
【符号の説明】
【０１０３】
１    画像管理装置
１Ａ  処理部
１Ｂ  主記憶部
１Ｃ  外部記憶部
１Ｄ  送受信部
１１０  画像保管部
１２０  分配部
１２１  グループ設定部
１２２  記憶先情報取得部
１２３  分配比率算出部
１２３ａ  重み付けテーブル
１２４  書込部
１２４ａ  制限値保持部
１２４ｂ  カウント部
１２４ｃ  比較部
１２５  データベース更新部
１３０  再分配制御部
１３１  グループ設定部
１３２  記憶先情報取得部
１３３  分配量算出部
１３４  再分配指示部
１３５  データベース更新部
２    画像データベース
３    医用画像記憶装置
４    クライアント端末
５    モダリティ
Ｓ    画像管理システム
Ｎ    ネットワーク
【図１】
2006263065.tif 000003
【図２】
2006263065.tif 000004
【図３】
2006263065.tif 000005
【図４】
2006263065.tif 000006
【図５】
2006263065.tif 000007
【図６】
2006263065.tif 000008
【図７】
2006263065.tif 000009
【図８】
2006263065.tif 000010
【図９】
2006263065.tif 000011
【図１０】
2006263065.tif 000012
【図１１】
2006263065.tif 000013
【図１２】
2006263065.tif 000014
【図１３】
2006263065.tif 000015